(57)【要約】【課題】視野が異なる複数の画像を手軽に撮影することが可能な撮像装置を提供する。を提供する。【解決手段】デジタルカメラは、単一のＣＣＤ撮像素子を備え、２つの画像ＰＡ，ＰＢ（たとえば、ＣＣＤ撮像素子の全体エリアに対応する画像ＰＡ（ＧＩ）、およびＣＣＤ撮像素子の一部のエリアに対応する画像ＰＢ（ＬＢ））を、ＣＣＤ撮像素子上の異なるエリアから交互に読み出し、画像ＰＡ，ＰＢを記録して動画像データを生成する。また、ＣＣＤ撮像素子から一度に読み出した画像から、２つの画像を抽出するようにしてもよい。【選択図】図２３
2006042399.tif 000002
【特許請求の範囲】
【請求項１】
撮像装置であって、
撮影光学系と当該撮影光学系からの被写体像を光電変換を用いて撮像する撮像素子とを有する単一の撮像手段と、
前記撮像素子における第１エリアに対応する画像データに基づいて、前記第１エリアの一部のエリアを第２エリアとして決定する制御手段と、
前記第１エリアに対応する第１動画データを構成するフレーム画像と前記第２エリアに対応する第２動画データを構成するフレーム画像とを前記撮像素子から交互に読み出す読出手段と、
前記第１動画データと前記第２動画データとを記録する記録手段と、
を備えることを特徴とする撮像装置。
【請求項２】
撮像装置であって、
撮影光学系と当該撮影光学系からの被写体像を光電変換を用いて撮像する撮像素子とを有する単一の撮像手段と、
前記撮像素子における第１エリアおよび第２エリアを含むエリアに対応する画像データを前記撮像素子から一度に読み出す読出手段と、
前記読出手段により読み出された画像データから、前記第１エリアに対応する画像データと前記第２エリアに対応する画像データとを抽出し、前記第１エリアに対応する画像データと前記第２エリアに対応する画像データとを交互に記録して２つの動画データを作成する記録手段と、
を備えることを特徴とする撮像装置。
【発明の詳細な説明】
【技術分野】
【０００１】
本発明は、複数の画像を撮影することが可能な撮像装置に関する。
【背景技術】
【０００２】
同時点の被写体を撮影して、その視野が異なる複数の画像を得る撮像装置が存在する。このような撮像装置としては、たとえば、特許文献１に記載されるものが知られている。
【０００３】
特許文献１には、複数のカメラを用いて被写体を異なる角度から撮影して記録するマルチアングル撮影装置が記載されている。
【０００４】
【特許文献１】特開２００２−１３５７０６号公報
【発明の開示】
【発明が解決しようとする課題】
【０００５】
しかしながら、上記の特許文献１の技術は、複数のカメラを用いることを前提にしている。したがって、装置が大がかりになり、視野が異なる複数の画像を手軽に撮影することが困難であるという問題がある。
【０００６】
そこで、この発明の課題は、前記問題点に鑑み、視野が異なる複数の画像を手軽に撮影することが可能な撮像装置を提供することにある。
【課題を解決するための手段】
【０００７】
上記課題を解決すべく、請求項１の発明は、撮像装置であって、撮影光学系と当該撮影光学系からの被写体像を光電変換を用いて撮像する撮像素子とを有する単一の撮像手段と、前記撮像素子における第１エリアに対応する画像データに基づいて、前記第１エリアの一部のエリアを第２エリアとして決定する制御手段と、前記第１エリアに対応する第１動画データを構成するフレーム画像と前記第２エリアに対応する第２動画データを構成するフレーム画像とを前記撮像素子から交互に読み出す読出手段と、前記第１動画データと前記第２動画データとを記録する記録手段とを備えることを特徴とする。
【０００８】
請求項２の発明は、撮像装置であって、撮影光学系と当該撮影光学系からの被写体像を光電変換を用いて撮像する撮像素子とを有する単一の撮像手段と、前記撮像素子における第１エリアおよび第２エリアを含むエリアに対応する画像データを前記撮像素子から一度に読み出す読出手段と、前記読出手段により読み出された画像データから、前記第１エリアに対応する画像データと前記第２エリアに対応する画像データとを抽出し、前記第１エリアに対応する画像データと前記第２エリアに対応する画像データとを交互に記録して２つの動画データを作成する記録手段とを備えることを特徴とする。
【発明の効果】
【０００９】
請求項１に記載の発明によれば、単一の撮像手段の撮像素子から、第１エリアに対応する第１動画データを構成するフレーム画像と第２エリアに対応する第２動画データを構成するフレーム画像とが交互に読み出されて、記録されるので、複数のカメラを準備する必要がなく、視野が異なる複数の動画像を手軽に撮影することが可能である。また、第２エリアが、第１エリアに対応する画像データに基づいて決定されるので、便利である。
【００１０】
請求項２に記載の発明によれば、撮像素子における第１エリアおよび第２エリアを含むエリアに対応する画像データが撮像素子から一度に読み出され、読み出された画像データから、前記第１エリアに対応する画像データと前記第２エリアに対応する画像データとが抽出され、第１エリアに対応する画像データと第２エリアに対応する画像データとが交互に記録されて、２つの動画データが作成される。したがって、複数のカメラを準備する必要がなく、視野が異なる複数の動画像を手軽に撮影することが可能である。
【発明を実施するための最良の形態】
【００１１】
以下、本発明の実施形態を図面に基づいて説明する。
【００１２】
＜Ａ．第１実施形態＞
＜Ａ１．構成＞
図１、図２及び図３は、本発明の実施形態に係るデジタルカメラ１の外観構成を示す図であり、図１は正面図、図２は上面図、図３は背面図に相当する。これらの図は必ずしも三角図法に則っているものではなく、デジタルカメラ１の外観を例示することを主眼としている。
【００１３】
デジタルカメラ１の正面側には撮影レンズ２が設けられる。この撮影レンズ２はズーム機能を有しており、ズームリング２ａを手動操作で回動させることによって撮影倍率の変更を行うことができるように構成される。
【００１４】
また、デジタルカメラ１のグリップ部１ａの上部にはシャッタボタン（レリーズボタン）９が設けられており、該シャッタボタン９はユーザによる半押し状態（以下、状態Ｓ１とも称する）と全押し状態（以下、状態Ｓ２とも称する）とを区別して検出可能な２段階押し込みスイッチとなっており、自動合焦モードが設定されている場合には半押し状態Ｓ１のときに自動合焦制御を開始し、全押し状態Ｓ２のときに記録用画像を撮影するための本撮影動作を開始する。
【００１５】
また、デジタルカメラ１の上面には、「撮影モード」と「再生モード」とを切替設定するモード切替え用のダイヤル３が設けられている。撮影モードは被写体の撮影を行って画像データの生成を行うモードである。また、再生モードはメモリカード９０に記録された画像データを、デジタルカメラ１の背面側に設けられた液晶表示部（以下、ＬＣＤという。）５に再生表示するモードである。
【００１６】
具体的には、撮影モードを示す「撮影」が表示された部分を所定の位置（図２の三角印ＭＴ）にまで回転移動させることによって、撮影モードに設定することができる。また、再生モードを示す「再生」が表示された部分を所定の位置（図２の三角印ＭＴ）にまで回転移動させることによって、再生モードに設定することができる。
【００１７】
また、このダイヤル３は、電源のオン操作およびオフ操作を受け付けるためにも用いられる。すなわち、ダイヤル３は電源操作部とも称することができる。具体的には、ダイヤル３の「ＯＦＦ」が表示されている部分を所定の位置（図２の三角印ＭＴ）にまで回転移動させることによって、電源をオフにする操作（電源オフ操作）が行われる。
【００１８】
デジタルカメラ１の背面には、本撮影動作前のライブビュー表示及び記録画像の再生表示等を行うためのＬＣＤ５と、電子ビューファインダ（以下、ＥＶＦという。）４とが設けられている。このＬＣＤ５およびＥＶＦ４では、それぞれカラー画像の表示が行われる。なお、以下の説明においてはＬＣＤ５およびＥＶＦ４がそれぞれ３２０×２４０の表示画素数を有する場合を例示する。
【００１９】
また、デジタルカメラ１の背面にはメニューボタン６が設けられており、例えば、撮影モード時にメニューボタン６が押下されて離されると（以下、単に押下と表現する）、各種撮影条件を設定するための各種メニュー画面がＬＣＤ５に表示される。また、デジタルカメラ１の背面には、ＬＣＤ５における表示カーソルを４方向に移動させるための十字カーソルボタン７Ｕ，７Ｄ，７Ｌ，７Ｒ、及び十字カーソルボタンの中央部に設けられる決定ボタン７Ｃで構成されるコントロールボタン７が設けられる。これらメニューボタン６及びコントロールボタン７を用いて各種撮影パラメータの設定操作が行われる。各種撮影パラメータの設定状態はデジタルカメラ１の上面側に配置されるデータパネル８に表示される。また、デジタルカメラ１の背面には、ライブビュー表示時にＬＣＤ５に表示される表示内容（特に撮影情報の表示状態）を切り替えるための切替ボタン１３が設けられている。
【００２０】
さらに、デジタルカメラ１の側面には、デジタルカメラ１の設定状態に関する操作を行うためのファンクション操作部１１が設けられている。このファンクション操作部１１は、中央部に設けられたファンクションボタン１１ａと、回動可能なように設けられたファンクションダイヤル１１ｂとを備えて構成される。また、ファンクション操作部１１の下部には、合焦モードを自動合焦モードと手動合焦モードとで切り替えるための合焦モード切替ボタン１２が設けられている。
【００２１】
また、デジタルカメラ１の側面には、挿抜自在（着脱自在）な記録媒体であるメモリカード９０の挿入装着部が設けられており、本撮影によって得られる画像データはこの挿入装着部にセットされるメモリカード９０に記録される。
【００２２】
さらに、デジタルカメラ１の前面には、音声記録用のマイク１４が設けられている。マイク１４によって集音された音声データは、動画像データなどに付加されて記憶される。また、デジタルカメラ１の背面には、音声再生用のスピーカ１５が設けられている。スピーカ１５は、動画像データに付された音声データの音声出力などに用いられる。
【００２３】
次に、デジタルカメラ１の内部構成について説明する。図４は、デジタルカメラ１の内部機能を示すブロック図である。
【００２４】
撮影レンズ２はレンズ駆動部４１によって駆動され、ＣＣＤ（Charge Coupled Device）センサ（ＣＣＤ撮像素子とも称する）２０に結像される像の合焦状態を変化させるように構成される。自動合焦（オートフォーカス）設定時には、撮影画像を用いるコントラスト方式（山登り方式）にしたがって、全体制御部３０によって撮影レンズ２のレンズ駆動量が決定され、このレンズ駆動量に基づいて撮影レンズ２が駆動されるのに対し、手動合焦（マニュアルフォーカス）設定時にはユーザによるコントロールボタン７の操作量に応じてレンズ駆動量が決定され、このレンズ駆動量に基づいて撮影レンズ２が駆動される。
【００２５】
ＣＣＤ撮像素子２０は被写体像を撮影して電子的な画像信号を生成する撮像手段として機能するものであり、例えば２５７６×１９３６個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。タイミングジェネレータ４２は、ＣＣＤ撮像素子２０の駆動を制御するための各種のタイミングパルスを生成するものである。
【００２６】
ここにおいて、撮影レンズ２と撮影レンズ２からの被写体像を撮像するＣＣＤ撮像素子２０とは、単一の撮像ユニットを構成しているとも表現できる。なお、ここでは、１枚のＣＣＤ撮像素子２０を有する、単板式の単一の撮像ユニットを例示しているが、これに限定されない。たとえば、デジタルカメラは、撮影レンズ２からの被写体像を３枚のＣＣＤ撮像素子で撮像するような、３板式の単一の撮像ユニットを備えるものであってもよい。
【００２７】
ＣＣＤ撮像素子２０から得られる画像信号は信号処理回路２１に与えられ、信号処理回路２１において画像信号（アナログ信号）に対して所定のアナログ信号処理が施される。信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００２８】
Ａ／Ｄ変換器２２は、画像信号の各画素信号を１２ビットのデジタル信号に変換するものである。Ａ／Ｄ変換器２２は、全体制御部３０から入力されるＡ／Ｄ変換用のクロックに基づいて各画素信号（アナログ信号）を１２ビットのデジタル信号に変換する。変換後のデジタル信号は、画像データとして一時的に画像メモリ４４に格納される。そして、画像メモリ４４に保存された画像データに対して、次述するＷＢ回路２３、γ補正回路２４、色補正部２５、解像度変換部２６、圧縮・伸張部４６などによる各処理が施される。また、各処理後の画像データは、各処理の内容に応じて、再度画像メモリ４４に再格納されるか、あるいは、別の処理部に対して転送される。
【００２９】
ＷＢ（ホワイトバランス）回路２３は、Ｒ，Ｇ，Ｂの各色成分のレベル変換を行うものである。ＷＢ回路２３は、全体制御部３０で記憶されるレベル変換テーブルを用いてＲ，Ｇ，Ｂの各色成分のレベルを変換する。なお、レベル変換テーブルの各色成分のパラメータ（特性の傾き）は全体制御部３０により、オートまたはマニュアルで、撮影画像毎に設定される。γ補正回路２４は、画素データの階調を補正するものである。
【００３０】
色補正部２５は、γ補正回路２４から入力される画像データに対し、ユーザから設定された色補正に関するパラメータに基づいて色補正を行うとともに、ＲＧＢ色空間で表現されたカラー情報をＹＣｒＣｂ色空間で表現されたカラー情報に変換する。この表色系変換により、全画素について輝度成分値Ｙが得られることになる。
【００３１】
解像度変換部２６は、ＣＣＤ撮像素子２０から得られる画像データに対して所定の解像度変換を行うものである。
【００３２】
ＡＦ評価値演算部２７はユーザによってシャッタボタン９が半押し状態とされた場合に機能し、コントラスト方式の自動合焦制御を行うための評価値演算動作が行われる。ここでは、ＡＦ評価領域に対応する画像成分について水平方向に隣接する２画素間での差分絶対値の総和がＡＦ用評価値として算出される。そしてＡＦ評価値演算部２７において算出されるＡＦ用評価値は全体制御部３０へと出力され、自動合焦制御が実現される。
【００３３】
測光演算部２８は、解像度変換部２６から出力される画像データを複数のブロックに分割し、各ブロックの代表輝度値に基づいてＡＥ用評価値を算出する。そして測光演算部２８において算出されるＡＥ用評価値は全体制御部３０へと出力され、全体制御部３０における自動露出制御に用いられる。
【００３４】
絞り制御部２９は、全体制御部３０の制御下において、撮影レンズ２内の絞り（絞り値）を調節する。
【００３５】
画像メモリ４４は、本撮影時にＣＣＤ撮像素子２０で取得され、上記の画像処理が施された画像データを一時的に記憶するメモリである。画像メモリ４４は、例えば数フレーム分の記憶容量を有している。
【００３６】
カードインタフェース（カードＩ／Ｆ）４７は、デジタルカメラ１側面の挿入装着部に対して装着されるメモリカード９０への画像データの書込み及び読出しを行うためのインタフェースである。メモリカード９０に対する画像データの読み書き時には、圧縮・伸張部４６において例えばＪＰＥＧ方式で画像データの圧縮処理又は伸張処理が行われる。また、外部接続インタフェース（外部接続Ｉ／Ｆ）４８は通信ケーブル等を介して外部コンピュータ９１と通信可能にするためのインタフェースであり、例えばＵＳＢ規格に準拠した通信用インタフェース等で実現される。これらカードＩ／Ｆ４７、外部接続Ｉ／Ｆ４８を介して、メモリカード９０や外部コンピュータ９１にセットされるＣＤ−ＲＯＭ等の記録媒体に記録される制御プログラムを、全体制御部３０のＲＡＭ３０ａ又はＲＯＭ３０ｂ内に取り込むことができる。そして全体制御部３０においてそのプログラムが実行されることにより、各種機能が実現される。
【００３７】
操作部４５は、上述したダイヤル３、メニューボタン６、コントロールボタン７、シャッタボタン９、ファンクション操作部１１、合焦モード切替ボタン１２、切替ボタン１３等を含む操作部であり、ユーザがデジタルカメラ１の設定状態を変更操作する際や撮影操作を行う際等に用いられる。
【００３８】
また、リアルタイムクロック４９は、いわゆる時計部である。リアルタイムクロック４９の計時機能により、デジタルカメラ１は現在時刻を認識することができる。
【００３９】
さらに、デジタルカメラ１は電池５１を駆動源としている。電池５１としては、例えば直列接続された４本の単三形乾電池を用いることができる。そして、電池５１からデジタルカメラ１内の各処理部への電力供給は、電力制御部５２によって制御される。
【００４０】
全体制御部３０は内部にＲＡＭ３０ａ及びＲＯＭ３０ｂを備えたマイクロコンピュータによって構成され、マイクロコンピュータが所定のプログラムを実行することにより、上記各部を統括的に制御する制御手段として機能する。なお、ＲＯＭ３０ｂは電気的にデータの書き換えが可能な不揮発性メモリである。
【００４１】
撮影モード時において、全体制御部３０はＣＣＤ撮像素子２０を駆動する駆動モードをタイミングジェネレータに指令する。特に、ユーザがシャッタボタン９を操作していないときには、全体制御部３０はライブビュー画像を取得するためにＣＣＤ撮像素子２０での撮影動作を繰り返すようにタイミングジェネレータに指令する。これによってＣＣＤ撮像素子２０ではライブビュー表示用の撮影画像（ライブビュー画像）が取得される。
【００４２】
また、全体制御部３０は、以下に詳述するような合焦制御、露出制御、ホワイトバランス制御などの各種の制御を統括して行う機能を有している。
【００４３】
＜Ａ２．動作＞
＜全体動作＞
つぎに、デジタルカメラ１における動画撮影動作、より詳細には、視野が異なる複数の動画像を撮影する撮影動作について説明する。これにより、たとえば図５に示すような、その視野が異なる複数の画像データＰＡ，ＰＢ（以下、単に画像ＰＡ，ＰＢとも称する）を取得することが可能になる。図５は、ＣＣＤ撮像素子２０の全撮影範囲が示されたライブビュー画像ＰＶと、その全撮影範囲に対応する記録画像ＰＡと、その全撮影範囲の一部のエリアに対応する記録画像ＰＢとの関係を示す概念図である。
【００４４】
図６は、デジタルカメラ１の動作を示すフローチャートである。以下では、図６のフローチャートにしたがって、デジタルカメラ１の複数動画記録モード（後述）での動作を説明するが、そのような説明に先立って、まずＣＣＤ撮像素子２０の駆動モード（ＣＣＤ撮像素子２０の読出しモード）および各モードで読み出されて作成される画像について説明する。
【００４５】
ＣＣＤ撮像素子２０は、その駆動モード（読み出しモード）として、「本撮影モード」、「ドラフトモード」、および「部分読出モード」の３つのモードを有している。全体制御部３０は、これらの読み出しモードの中から特定のモードを選択し、選択したモードをタイミングジェネレータ４２に対して指定する。そして、タイミングジェネレータ４２は、その指定内容にしたがってＣＣＤ撮像素子２０を駆動する。
【００４６】
「本撮影モード」は、フレーム画像全体（ここでは２５７６×１９３６の全画素）を読み出し対象として画像信号を読み出すモードである。このモードは、記録用の静止画像を生成する際に用いられる。
【００４７】
「ドラフトモード」は、画像信号を間引き読み出しするモードである。このドラフトモードは、静止画および動画像の撮影直前のプレビュー（ライブビューとも称する）用画像を生成する際などに用いられる。
【００４８】
図７（ａ）（ｂ）に示すように、ドラフトモードにおいては、水平方向２５７６画素、垂直方向１９３６画素を有するＣＣＤ撮像素子２０から水平ラインごとの画素信号を読み出す際、８ライン中１ラインを読み出すようにＣＣＤ撮像素子２０が駆動される。つまり、ドラフトモード時には、１９３６本の水平ラインが１／８間引きされた状態で読み出されるのである。この結果、ドラフトモード時にＣＣＤ撮像素子２０から出力される画像ＧＡ１は、図７（ｂ）に示すように２５７６×２４２の画素で構成されることになる。
【００４９】
その後、解像度変換部２６は、この画像ＧＡ１に対して、水平方向の画素数を１／８にする所定の解像度変換を施し、図７（ｃ）に示すように、３２２×２４２の画素で構成される画像ＧＡ２を得る。さらに、解像度変換部２６は、上下左右端の各１画素幅の画素列を削除することによって、図７（ｄ）に示すように、３２０×２４０画素で構成される画像ＧＡ３を得る。
【００５０】
この画像ＧＡ３は、ＣＣＤ撮像素子２０の撮像エリアの全エリア（全撮像範囲）ＥＡ（図７（ａ）参照）をその視野とする画像であり、ＬＣＤ５の表示画素数に適合した画像サイズとなっている。画像ＧＡ３は、エリアＥＡ（ＣＣＤ撮像素子２０の全撮影範囲）に対応する画像であるとも表現できる。この第１実施形態では、画像ＧＡ３は、２つの記録用画像のうちの一方の画像ＰＡとして用いられるとともに、ライブビュー画像ＰＶとしても用いられる。
【００５１】
また、「部分読出モード」は、ＣＣＤ撮像素子２０の全撮像範囲のうち、近接する一部の水平ラインを読み出すモードである。たとえば、連続する所定数（２４２本）の水平ラインで構成される画素ブロックを画像ＧＢ１として読み出すことができる。このときの読出し開始位置および／または読出し終了位置は、全体制御部３０からの指示に基づいて指定される。
【００５２】
具体的には、図８（ａ）（ｂ）に示すように、部分読出モードにおいては、水平方向２５７６画素、垂直方向１９３６画素を有するＣＣＤ撮像素子２０から、所定番号から始まる連続する２４２本の水平ラインの画素信号が読み出されて、２５７６×２４２の画素で構成される画像ＧＢ１が取得される。
【００５３】
その後、解像度変換部２６は、この画像ＧＢ１に対して、指定位置の画素ブロックを切り出すことによって、図８（ｃ）に示すように、３２２×２４２の画素で構成される画像ＧＢ２を得る。さらに、解像度変換部２６は、上下左右端の各１画素幅の画素列を削除することによって、図８（ｄ）に示すように、３２０×２４０画素で構成される画像ＧＢ３を得る。
【００５４】
この画像ＧＢ３は、ＣＣＤ撮像素子２０の撮像エリアの全エリア（全撮像範囲）ＥＡのうちの一部のエリアＥＢをその視野とする画像である。エリアＥＢは、エリアＥＡに包含されるエリアであり、画像ＧＢ３は、エリアＥＢに対応する画像であるとも表現できる。また、画像ＧＢ３は、画像ＧＡ３と同一の画像サイズを有している。この第１実施形態では、画像ＧＢ３は、２つの記録用画像のうちのもう一方の画像ＰＢとして用いられる。
【００５５】
つぎに、図６のフローチャートにしたがって、デジタルカメラ１の動作について説明する。
【００５６】
デジタルカメラ１は、「撮影モード」として「静止画記録モード」と「動画記録モード」とを有している。また、「動画記録モード」は、そのサブモードとして、単一の動画像を記録する「通常動画記録モード」と、複数の動画像を記録する「複数動画記録モード」とを有している。なお、複数動画記録モードは、視野（ないしは広義の撮影アングル）が異なる複数の動画像を撮影するモードであることから、マルチ動画撮影モード、あるいは、マルチアングル撮影モードなどとも称することができる。
【００５７】
この図６においては、所定のメニュー操作等によって、「撮影モード」が「動画記録モード」に設定されており且つ「動画記録モード」のサブモードとして「複数動画記録モード」が予め選択されていること、すなわち、デジタルカメラ１が、この「複数動画記録モード」で動作するように予め設定されていることを前提とする。
【００５８】
また、ここでは、ＣＣＤ撮像素子２０の駆動方式を切り替えて複数の画像を読み出す場合について説明する。具体的には、ＣＣＤ撮像素子２０の２つの駆動モード（読出しモードとも称する）、詳細には「ドラフトモード」および「部分読出モード」、を交互に用いて画像を読み出すことによって、複数の画像（動画像）を記録する場合について説明する。
【００５９】
まず、ステップＳＰ１〜ステップＳＰ５においては、動画撮影のための準備動作が行われる。
【００６０】
具体的には、ステップＳＰ１において、全体制御部３０は、ＣＣＤ撮像素子２０の読出しモードがドラフトモードとなるようにタイミングジェネレータ４２を設定する。この設定に基づくタイミングジェネレータ４２の制御によって、後のステップＳＰ３でＣＣＤ撮像素子２０はドラフトモードで駆動される。
【００６１】
ステップＳＰ２では、部分画像ＰＢ（図５）の撮影範囲が設定される。具体的には、初期状態では、部分画像ＰＢの撮影範囲を全撮影範囲の中央部に設定する。後のステップＳＰ４では、画像ＰＢの撮影範囲（境界）がライブビュー画像ＰＶ上で表示される。その後、図５に示すライブビュー画像ＰＶ上の矩形カーソルＣＲを、操作者がコントロールボタン７を用いて上下左右に移動させることによって、全撮影範囲における部分画像ＰＢの位置を指定する。デジタルカメラ１は、この操作者からの指定に基づいて、このステップＳＰ２で画像ＰＢの撮影範囲を決定する。なお、この実施形態では、画像ＰＢの大きさは所定サイズに固定されており画像ＰＢの位置のみが変更されるものとするが、画像ＰＢの大きさを変更するようにしてもよい。
【００６２】
ステップＳＰ３では、ＣＣＤ撮像素子２０の全撮影範囲に対応する画像ＧＡ１が、ＣＣＤ撮像素子２０からドラフトモードで読み出される。その後、その画像ＧＡ１に対して、信号処理回路２１、Ａ／Ｄ変換器２２、ＷＢ回路２３、γ補正回路２４、色補正部２５、解像度変換部２６等による各種の画像処理が施されることによって画像ＧＡ３が取得される。
【００６３】
ステップＳＰ４においては、この画像ＧＡ３がライブビュー画像ＰＶとしてＬＣＤ５に表示される。より正確には、ライブビュー画像ＰＶは、図５に示すように、画像ＧＡ３（画像ＰＡ）に対して、破線ＬＢで囲まれた所定サイズの矩形図形（矩形カーソルＣＲ）が合成された画像として表示される。このライブビュー表示においては、画像ＰＢの撮影範囲として指定されたエリア（領域）が、破線ＬＢで囲まれた領域として、矩形カーソルＣＲを用いて表示されているため、記録されるべき複数（ここでは２つ）の画像のうちの一方の部分画像ＰＢの撮影範囲をより容易に把握することが可能になる。
【００６４】
ステップＳＰ５においては、録画を開始すべき指令（録画開始指令）が入力されたか否かを判定する。具体的には、シャッタボタン９が全押し状態Ｓ２にまで押下されたか否かが判定される。シャッタボタン９が全押し状態Ｓ２にまで押下されていないと判定されれば、未だ録画開始指令が入力されていないとみなし、上述のステップＳＰ１，ＳＰ２，ＳＰ３，ＳＰ４，ＳＰ５の各処理を繰り返して行う。一方、シャッタボタン９が全押し状態Ｓ２にまで押下されたと判定されると、録画開始指令が入力されたとみなし、次のステップＳＰ６以降に進む。
【００６５】
ステップＳＰ６〜ステップＳＰ１１においては、動画撮影動作が行われる。
【００６６】
ステップＳＰ６においては、録画終了判定処理が行われる。再びシャッタボタン９が全押し状態Ｓ２にまで押下されたと判定されると、録画を終了すべき指令（録画終了指令）が入力されたとみなして、後述する動画像の記録を終了する。一方、ステップＳＰ６で録画終了指令が入力されていないと判定される間は、ステップＳＰ７以降に進み、動画像の撮影処理を継続する。
【００６７】
ステップＳＰ７においては、画像ＰＡを作成する。具体的には、最初のフレームについては、上述のステップＳＰ３で既にそのフレームについての画像ＧＡ３が生成されているので、その画像ＧＡ３を画像ＰＡとしてそのまま用いればよい。一方、最初以外のフレームについては、ステップＳＰ１０（後述）における設定変更によりドラフトモードに変更された後に、ＣＣＤ撮像素子２０から読み出された画像ＧＡ１に対して、信号処理回路２１、Ａ／Ｄ変換器２２、ＷＢ回路２３、γ補正回路２４、色補正部２５、解像度変換部２６等による各種の画像処理を施して画像ＧＡ３を作成する。新たに作成されたこの画像ＧＡ３を画像ＰＡとして用いればよい。
【００６８】
画像ＧＡ３は、ＣＣＤ撮像素子２０の全撮影範囲に対応する画像であり、複数の記録画像のうちの一方の画像ＰＡとして取得される。全体制御部３０は、この画像ＰＡをメモリカード９０に記録する。
【００６９】
ステップＳＰ８においては、全体制御部３０は、ＣＣＤ撮像素子２０の読出しモードが部分読出モードとなるようにタイミングジェネレータ４２を設定する。この設定に基づくタイミングジェネレータ４２の制御によって、次のステップＳＰ９でＣＣＤ撮像素子２０は部分読出モードで駆動される。
【００７０】
ステップＳＰ９においては、画像ＰＢを作成する。具体的には、部分読出モードで読み出された画像ＧＢ１に対して、信号処理回路２１、Ａ／Ｄ変換器２２、ＷＢ回路２３、γ補正回路２４、色補正部２５、解像度変換部２６等による各種の画像処理を施して各種の画像処理を施して画像ＧＢ３を作成する。この画像ＧＢ３が、複数（ここでは２つ）の記録画像のうちのもう一つの画像ＰＢとして取得される。全体制御部３０は、この画像ＰＢをメモリカード９０に記録する。
【００７１】
その後、ステップＳＰ１０においては、ＣＣＤ撮像素子２０の読出しモードが再びドラフトモードに設定される。この設定に基づくタイミングジェネレータ４２の制御によって、ステップＳＰ７においてＣＣＤ撮像素子２０はドラフトモードで駆動される。
【００７２】
ステップＳＰ１１においては、ライブビュー画像ＰＶがＬＣＤ５に表示される。このライブビュー表示においては、画像ＰＢの撮影範囲として指定されたエリアの境界が矩形カーソルＣＲ（破線ＬＢ）を用いて引き続き明示されている。言い換えれば、ＣＣＤ撮像素子２０における全エリアＥＡとエリアＥＢとの位置関係が示された状態で、両画像ＰＡ，ＰＢを含むライブビュー画像ＰＶが表示されている。両エリアＥＡ，ＥＢの位置関係が示されているので、操作者は両画像ＰＡ，ＰＢの位置関係を明確に把握できる。また、特にエリアＥＡに包含されるエリアＥＢの境界が破線ＬＢを用いて表示された状態で、エリアＥＡ，ＥＢに対応する画像ＰＡ，ＰＢが表示されているので、記録されるべき複数の画像ＰＡ，ＰＢのうちの一方の部分画像ＰＢの撮影範囲をより容易に把握することが可能になる。したがって、操作性が高い。
【００７３】
以降、ステップＳＰ６において録画終了指令が入力されたと判定されるまでステップＳＰ７，ＳＰ８，ＳＰ９，ＳＰ１０，ＳＰ１１の各処理が繰り返し実行される。
【００７４】
図９は、上述の動作を時間軸に沿って示すタイミングチャートである。図９においては、ドラフトモードと部分読出モードとが交互に用いられ、１／３０秒（約３３ミリ秒）間隔でフレーム画像がＣＣＤ撮像素子２０から読み出されている様子が示されている。具体的には、第１フレームの画像は、ドラフトモードＭＡで読み出されて生成された画像ＰＡであり、第２フレームの画像は、部分読出モードＭＢで読み出されて生成された画像ＰＢである。また、第３フレームの画像は、再びドラフトモードＭＡで読み出されて生成された画像ＰＡであり、第４フレームの画像は、部分読出モードＭＢで読み出されて生成された画像ＰＢである。以降、同様に、ドラフトモードＭＡと部分読出モードＭＢとで交互に読み出されて画像ＰＡと画像ＰＢとが交互に生成される。そして、連続する一群の画像ＰＡは動画像ファイルＭＰＡとして記録され、連続する一群の画像ＰＢは動画像ファイルＭＰＢとして記録される。動画像ファイルＭＰＡ，ＭＰＢは、互いに異なる動画ファイルとしてメモリカード９０（記録媒体）に記録される。
【００７５】
このように、デジタルカメラ１は、画像ＰＡと画像ＰＢとをＣＣＤ撮像素子２０から交互に（順番に繰り返して）読み出して、画像ＰＡと画像ＰＢとを記録することができる。画像ＰＡ，ＰＢは、ほぼ同時に撮影される画像であり、且つ、その視野は互いに異なるものとなっている。また、画像ＰＡと画像ＰＢとは、いずれも、撮影レンズ２とＣＣＤ撮像素子２０などで構成される同一（単一）の撮像ユニット（撮像手段）から読み出された画像である。したがって、複数のカメラを準備する必要がなく、視野が異なる複数の画像ＰＡ，ＰＢ（動画像ＭＰＡ，ＭＰＢ）を手軽に撮影することが可能である。
【００７６】
また、動画像ファイルＭＰＡを構成する画像ＰＡと動画像ファイルＭＰＢを構成する画像ＰＢとは、バッファメモリ（画像メモリ４４）からメモリカード９０へと交互に転送されて、交互に記録されるので、バッファメモリの容量を抑制することができる。仮に交互に記録しないとすれば一方のエリアに対応する複数の画像データ（たとえば数フレームから数百フレーム分の画像データ）を一旦バッファメモリに格納しておく必要が生じるが、交互に記録することによればそのような必要がないからである。
【００７７】
＜動画像データ＞
図１０は、動画像ファイルＭＰＡおよび動画像ファイルＭＰＢのフレーム構成を示す図である。動画像ファイルＭＰＡは、奇数フレームの画像ＰＡを構成要素とする動画像データであり、動画像ファイルＭＰＢは、偶数フレームの画像ＰＢを構成要素とする動画像データである。
【００７８】
ここでは、動画像ファイルＭＰＡ，ＭＰＢのフレームレートを３０ＦＰＳ（フレーム毎秒）にするため、各フレーム画像を２枚つづけて記録している。
【００７９】
具体的には、動画像ファイルＭＰＡについては、ＣＣＤ撮像素子２０における第１フレームの画像ＰＡを、動画像ファイルＭＰＡにおける第１フレームおよび第２フレームとして２枚続けて記録している。また、ＣＣＤ撮像素子２０における第３フレームの画像ＰＡを、動画像ファイルＭＰＡにおける第３フレームおよび第４フレームとして２枚続けて記録している。動画像ファイルＭＰＢについても同様である。
【００８０】
ただし、これに限定されず、時系列で取得された画像ＰＡを重複させることなくその取得順序にしたがって順次に記録していくことによって、１５ＦＰＳの動画像ファイルＭＰＡを作成するようにしてもよい。動画像ファイルＭＰＢについても同様である。
【００８１】
また、音声データについては、デジタルカメラ１の単一のマイク１４（図１）によって集音された音声を、動画像ファイルＭＰＡ，ＭＰＢで共用する。より具体的には、デジタルカメラ１は、各動画像ファイルＭＰＡ，ＭＰＢに対して、マイク１４（録音部）によって得られる同一の音声データを付加することによって、複数の音声データ付き動画ファイルＭＰＡ，ＭＰＢを作成し、メモリカード９０に記録する。すなわち、動画像ファイルＭＰＡの音声データと動画像ファイルＭＰＢの音声データとは同一である。このように、複数の音声データ付き動画ファイルを作成するにあたって、単一の録音部を兼用することができる。
【００８２】
ここでは、上記のような動画像ファイルＭＰＡ，ＭＰＢが別個のファイルとして、別個の名称が付された状態で同一のメモリカード９０（単一の記録媒体）に記録される。
【００８３】
図１１は、ファイル名称の付与ルールについて説明する図である。ここでは、通常動画記録モードによる１回の撮影動作で１つの動画ファイルを記録した後、上述した複数動画記録モードによる１回の撮影動作で２つの動画ファイルを記録する場合を想定する。なお、いずれの動画ファイルにおいても、拡張子"mov"は動画であることを示している。
【００８４】
図１１（ａ）は、最初の通常動画記録モードで撮影された動画ファイルの名称を示している。この動画ファイルには、"Pict0001.mov"（４文字目は"t"）という名称が付されている。最初の４文字"Pict"は、通常動画記録モードの動画であることを示している。その次の４文字はファイル番号を示しており、そのモードに依らず且つ撮影エリアに依らず、撮影された順序で１つずつインクリメントされていく。ここでは、最初のファイルであるので"0001"が付されている。
【００８５】
図１１（ｂ）は、複数動画記録モードで撮影された２つの動画ファイルのうちの一方の動画ファイルの名称を示している。この動画ファイルには、"Pica0002.mov"という名称が付されている。最初の４文字"Pica"（４文字目は"a"）は、複数動画記録モードのエリアＥＡに対応する動画であることを示している。また、ファイル番号を示す次の４文字は、自動的に１つインクリメントされて"0002"になっている。
【００８６】
図１１（ｃ）は、複数動画記録モードで撮影された２つの動画ファイルのうちの他方の動画ファイルの名称を示している。この動画ファイルには、"Picb0003.mov"という名称が付されている。最初の４文字"Picb"（４文字目は"b"）は、複数動画記録モードのエリアＥＢに対応する動画であることを示している。また、ファイル番号を示す次の４文字は、自動的に１つインクリメントされて"0003"になっている。
【００８７】
以上のように、ＣＣＤ撮像素子２０における複数のエリアＥＡ，ＥＢのそれぞれに対応する画像データが、そのファイル名に関連性を持たせた状態で、互いに異なる複数の動画ファイルとして記録される。したがって、操作者はファイルの関連性を理解しやすく、混乱を防止できる。
【００８８】
特に、ファイル名は、撮影対象エリアを識別する識別部分（ここでは、最初の４文字（特に４文字目））を有しているので、操作者は各動画ファイルの撮影対象エリア（より具体的には、その撮影対象エリアがエリアＥＡ，ＥＢのいずれであるのか）を容易に識別できる。また、上述のファイル名における最初の４文字は、各動画ファイルの記録モードを識別する機能をも有している。
【００８９】
また、動画ファイルのファイル名のファイル番号部分（ここでは、５文字目から８文字目までの４文字）は、各動画ファイルに対してその撮影対象エリアの異同にかかわらず一意に付与される連続番号を有している。したがって、その撮影対象エリアが異なるファイルに対して同一のファイル番号が付与されることが無いので、ファイル番号の異同で動画ファイルの異同を判断できる。すなわち混同のおそれが少ない。また、連続番号のファイルに関連性があることを容易に識別できる。
【００９０】
さらに、同一の撮影動作で取得される複数の動画ファイルに対しては連続番号が付与され、且つ、同一の撮影動作で取得される複数の動画ファイルのうち、その撮影対象エリアが特定のエリア（ここではエリアＥＡ）の動画ファイルに対して最も小さな番号が付与される。そして、撮影対象エリアが特定のエリア（ここではエリアＥＡ）であることは、特定の識別子（たとえば、"Pica"（４文字目は"a"））によって識別できる。したがって、特定の識別子（たとえば、"Pica"）を有するファイルのファイル番号（ここでは２）から始まる連続番号（２，３）を有する一連のファイルを、複数動画記録モードにおける同一の撮影で得られた複数（ここでは２つ）の動画ファイルであると認識できる。
【００９１】
＜ＡＦ制御，ＡＥ制御，ＡＷＢ制御＞
つぎに、複数動画記録モードにおける自動合焦制御（ＡＦ制御とも略称する）、自動露出制御（ＡＥ制御とも略称する）、および自動ホワイトバランス制御（ＡＷＢ制御とも略称する）について説明する。
【００９２】
まず、非記録時（図６のステップＳＰ１〜ステップＳＰ５のループ）においては、ドラフトモードＭＡで読み出された画像ＧＡ３に基づくライブビュー画像ＰＶがＬＣＤ５に表示される。そして、このライブビュー画像ＰＶの画像調整のために、ＡＦ制御、ＡＥ制御およびＡＷＢ制御が行われる。ＡＥ制御およびＡＷＢ制御は、ドラフトモードＭＡによる画像ＧＡ３を用いて算出された評価値（ＡＥ用評価値およびＡＷＢ用評価値）に基づいて行われる。また、ＡＦ制御は、部分読出モードによる画像ＧＢ３を用いて算出されたＡＦ用評価値に基づいて行われる。
【００９３】
一方、記録時（図６のステップＳＰ６〜ステップＳＰ１１のループ）においては、ドラフトモードＭＡによる画像ＧＡ３（ＰＡ）に基づくライブビュー画像ＰＶがＬＣＤ５に表示されるとともに、ドラフトモードＭＡによる画像ＧＡ３（画像ＰＡ）と部分読出モードＭＢによる画像ＧＢ３（画像ＰＢ）とが交互に読み出され交互に記録される。そして、これらの記録用画像ＰＡ，ＰＢの画像調整のために、ＡＦ制御、ＡＥ制御およびＡＷＢ制御が行われる。
【００９４】
ここで、画像ＰＡ，ＰＢについてのＡＥ制御は、いずれも、ドラフトモードＭＡによる画像ＧＡ３を用いて算出された評価値（ＡＥ用評価値およびＡＷＢ用評価値）に基づいて行われる。ただし、画像ＰＡ，ＰＢは、その視野が異なる（言い換えれば、その撮影範囲が異なる）ため、それぞれの撮影範囲に応じたブロックの評価値を用いることが好ましい。
【００９５】
まず、画像ＰＡについてのＡＥ制御について説明する。
【００９６】
画像ＰＡについてのＡＥ制御は、画像ＧＡ３の全体に対する測光演算結果に基づいて行われる。より詳細には、測光演算部２８が、解像度変換部２６から出力される画像ＧＡ３（ＰＡ）を複数のブロック（「測光ブロック」とも称する）に分割し、各ブロックの代表輝度値に基づいてＡＥ用評価値を算出する。
【００９７】
図１２は、測光ブロックの一例を示す図である。測光演算部２８は画像ＧＡ３が入力されると、その画像ＧＡ３（ＰＡ）を横方向に２０個、縦方向に１５個に区分（分割）する。この結果、横３２０×縦２４０の画像サイズを有する画像ＧＡ３は、合計３００（＝２０×１５）個の測光ブロックに区分され、各測光ブロックは、それぞれ、１６画素（横方向）×１６画素（縦方向）のサイズを有している。そして測光演算部２８は各ブロックに含まれる複数の画素の輝度値を加算することにより、各ブロックの代表輝度値を算出する。各画素の輝度値としては、Ｒ（赤），Ｇ（緑），Ｂ（青）の各色成分値の重み付け加算値（Ｙ成分値）を用いてもよく、各色成分のうちの１つの成分（たとえばＧ成分）の値を用いてもよい。
【００９８】
そして各ブロックから得られる代表輝度値と、各ブロックに対応付けられる重み付け係数との積を求め、各ブロックについて得られる積を全てのブロック（３００ブロック）について累積加算することでＡＥ用評価値を求める。ＡＥ制御には、スポット測光方式、中央重点測光方式、平均測光方式などの様々な方式が存在するが、この重み付け係数を各方式に応じて変更することによって、各方式に応じたＡＥ用評価値を算出することができる。たとえば、各重み付け係数を同一の値とすることによって平均測光方式のＡＥ用評価値を算出することができる。
【００９９】
測光演算部２８は、算出したＡＥ用評価値を全体制御部３０へと出力し、全体制御部３０は、このＡＥ用評価値を用いて、次のフレーム画像（画像ＰＡ）撮影時の露出状態を適正な状態にするための撮影パラメータ（具体的には、シャッタスピードおよび絞り）を決定する。その後、決定された撮影パラメータで次のフレーム画像ＰＡが撮影される。
【０１００】
なお、非記録時（ステップＳＰ１〜ＳＰ５）におけるＡＥ制御は、記録時における画像ＰＡに対する上記のＡＥ制御と同様にして行われればよい。
【０１０１】
つぎに、画像ＰＢについてのＡＥ制御について説明する。
【０１０２】
画像ＰＢについてのＡＥ制御は、画像ＰＡについてのＡＥ制御と同様に、画像ＧＡ３に基づいて行われる。ただし、図１３に示すように、画像ＧＡ３を区分した複数のブロックのうちの一部のブロック、具体的には、画像ＰＢに対応する領域を含むブロックのみを対象として、ＡＥ用評価値を算出する。図１３においては、画像ＧＡ３（ＰＡ）内の複数（３００個）のブロックのうち、画像ＰＡ内での画像ＰＢの位置に対応する６つのブロック（図１３の太線ＢＬで囲まれるブロック）のみに基づいてＡＥ用評価値を算出する。これら６つのブロックは、画像ＰＡ内において画像ＰＢの位置に対応する領域ＣＢを含むブロックである。
【０１０３】
そして各ブロックから得られる代表輝度値と、各ブロックに対応付けられる重み付け係数との積を求め、各ブロックについて得られる積を６つのブロックについて累積加算することでＡＥ用評価値を求める。ここでは、ブロックの数が比較的少ないので平均測光方式を採用し、各ブロックの重み付けが同一となるような重み付け係数を用いる。なお、上述したように、他の方式でＡＥ制御を行うようにしてもよい。
【０１０４】
測光演算部２８は、算出したＡＥ用評価値を全体制御部３０へと出力し、全体制御部３０は、このＡＥ用評価値を用いて、次のフレーム画像（画像ＰＢ）撮影時の露出状態を適正な状態にするための撮影パラメータ（具体的には、シャッタスピードおよび絞り）を決定する。
【０１０５】
以上のようにして、両画像ＰＡ，ＰＢについてのＡＥ制御における制御パラメータを、一方の画像ＧＡ３（ＰＡ）を用いたＡＥ用評価値に基づいて決定することができる。この場合、他方の画像ＧＢ３（ＰＢ）を用いたＡＥ用評価値にも基づいて、両画像ＰＡ，ＰＢについてのＡＥ制御における制御パラメータを決定する場合に比べて、画像ＧＢ３（ＰＢ）についてのＡＥ用評価値を算出する必要がないので、演算量を減少させることができる。すなわち、効率的である。
【０１０６】
また、画像ＰＡについての露出制御における制御パラメータは画像ＰＡに基づいて決定されるとともに、画像ＰＢについての露出制御における制御パラメータは、画像ＰＡの画像データのうち画像ＰＢの撮影範囲に相当する領域のデータに基づいて決定される。したがって、画像ＰＡの露出制御を画像ＰＡの特性に合わせ、且つ、画像ＰＢの露出制御を画像ＰＢの特性に合わせて行うことが可能になる。すなわち、各画像ＰＡ，ＰＢの特徴に応じたＡＥ制御を行うことができる。
【０１０７】
つぎに、ＡＷＢ制御について説明する。画像ＰＡ，ＰＢについてのＡＷＢ制御は、ＡＥ制御と同様に、ドラフトモードＭＡによる画像ＧＡ３を用いて算出された評価値（ＡＥ用評価値およびＡＷＢ用評価値）に基づいて行われる。
【０１０８】
測光演算部２８は、測色演算部としても機能し、図１２の各ブロックを測色ブロックとしても機能させて、ＡＷＢ（オートホワイトバランス）用評価値を算出する。ＡＷＢ制御は、このＡＷＢ用評価値に基づいて行われる。
【０１０９】
ＡＷＢ用評価値は、画像におけるＲ（赤），Ｇ（緑），Ｂ（青）の３つの色成分のバランスを測るための評価値であり、３つの色成分のそれぞれの比率を表す値として求められる。
【０１１０】
ただし、画像ＰＡ，ＰＢは、その視野が異なる（言い換えれば、その撮影範囲が異なる）ため、それぞれの撮影範囲に応じたブロックの評価値を用いることが好ましい。
【０１１１】
具体的には、画像ＰＡについては、画像ＧＡ３の全範囲、すなわち、図１２の全ブロックを対象として、３つの色成分のそれぞれの比率を表す値をＡＷＢ用評価値として求めることができる。
【０１１２】
一方、画像ＰＢについては、画像ＧＡ３内の複数（３００個）のブロックのうち、画像ＰＡ内での画像ＰＢの位置に対応する６つのブロック（図１３の太線ＢＬで囲まれるブロック）のみに基づいて、３つの色成分のそれぞれの比率を表す値をＡＷＢ用評価値として算出する。
【０１１３】
算出されたＡＷＢ用評価値は全体制御部３０へと出力される。そして、全体制御部３０は、このＡＷＢ用評価値を用いて、次のフレーム撮影時のホワイトバランスを適正な状態にするための撮影パラメータ（具体的には、ホワイトバランスゲイン）を決定する。そして、ＷＢ回路２３は、次の画像ＰＡまたは画像ＰＢを取得する際に、画像ＰＡ，ＰＢごとに決定されたホワイトバランスゲインに基づいて画像処理を行う。
【０１１４】
以上のようにして、各画像ＰＡ，ＰＢについてのＡＷＢ制御におけるＡＷＢ用評価値は、一方の画像ＧＡ３（ＰＡ）のみを用いて算出されているので、他方の画像ＧＢ３をも用いて算出される場合に比べて演算量を減少させることができる。すなわち、効率的である。
【０１１５】
また、画像ＰＡについてのホワイトバランス制御における制御パラメータは画像ＰＡに基づいて決定されるとともに、画像ＰＢについてのホワイトバランス制御における制御パラメータは、画像ＰＡの画像データのうち画像ＰＢの撮影範囲に相当する領域のデータに基づいて決定される。したがって、画像ＰＡのホワイトバランス制御を画像ＰＡの特性に合わせ、且つ、画像ＰＢのホワイトバランス制御を画像ＰＢの特性に合わせて行うことが可能になる。すなわち、各画像ＰＡ，ＰＢの特徴に応じたＡＷＢ制御を行うことができる。
【０１１６】
また、上記のようなＡＥ制御およびＡＷＢ制御は、全てのフレームについて行う必要はなく、所定数フレームに１回の割合（たとえば４フレーム１回の割合）で行えばよい。
【０１１７】
さらに、ＡＦ制御について説明する。ここでは、いわゆるコントラスト方式を用いる。
【０１１８】
画像ＰＡ，ＰＢについてのＡＦ制御は、いずれも、部分読出モードによる画像ＧＢ３を用いて算出されたＡＦ用評価値に基づいて行われる。具体的には、画像ＧＢ３において水平方向に隣接する２画素間での差分絶対値の総和がＡＦ用評価値として算出される。
【０１１９】
画像ＰＡ，ＰＢにおける被写体の被写体距離が互いに異なる場合には、画像ＰＡ撮影時と画像ＰＢ撮影時とで焦点位置を変更することも考えられるが、レンズ駆動のための時間が必要となるため、フレームレートの減少を招くなどの弊害が生じる。そこで、ここでは、２つの画像ＰＡ，ＰＢのうちの部分画像ＰＢを用いて、ＡＦ用評価値を算出するものとする。
【０１２０】
画像ＰＡではなく画像ＰＢを用いるのは、部分画像ＰＢが画像ＰＡの全エリアのうちの注目部分であることが多いこと、および／または、画像ＰＢの画素ピッチが画像ＰＡの画素ピッチの８倍であり画像ＰＢの被写界深度（焦点深度）が画像ＰＡの被写界深度（焦点深度）よりも８倍大きいことなどの理由による。
【０１２１】
上述のようにして算出されるＡＦ用評価値は全体制御部３０へと出力され、自動合焦制御が実現される。たとえば、非記録時においては、ユーザによってシャッタボタン９が半押し状態とされた場合にのみＡＦ制御が行われ、記録時においては、所定の時間間隔でＡＦ制御が行われればよい。
【０１２２】
以上のように、記録時においても、両画像ＰＡ，ＰＢについてのＡＦ制御を、一方の画像ＧＢ３（ＰＢ）のみからのＡＦ用評価値に基づいて行うことができるので、他方の画像ＧＡ３からのＡＦ用評価値をも算出する場合に比べて、演算量を減少させることができる。すなわち、効率的である。
【０１２３】
＜Ｂ．第２実施形態＞
つぎに第２実施形態について説明する。第２実施形態に係るデジタルカメラは、撮像素子として、ＣＣＤセンサ２０の代わりにＣＭＯＳ（Complementary Metal Oxide Semiconductor）センサ２０Ｂを用いる点で第１実施形態に係るデジタルカメラと相違するが、その他の構成については同様である。以下では、相違点を中心に説明する。
【０１２４】
図１４および図１５は、ＣＭＯＳセンサ（ＣＭＯＳ撮像素子）２０Ｂにおける読出し画素の指定について説明する図である。ＣＭＯＳセンサ２０Ｂにおいては、水平ラインおよび／または垂直ラインをまとめて取り出す必要がなく、任意の指定位置の画素を読み出すことが可能である。したがって、記録用動画像ＧＣの取得時における横方向の解像度変換は不要となる。
【０１２５】
ここでは、ＣＭＯＳセンサ２０Ｂは、２５７６×１９３６の画素を有しているものとして説明する。
【０１２６】
記録用静止画像の取得時においては、ＣＭＯＳセンサ２０Ｂの全画素（２５７６×１９３６の画素）が読み出されて、記録用の静止画像が生成される。
【０１２７】
一方、ライブビュー画像の取得時および記録用動画像の取得時などにおいては、全画素のうちのいくつかの画素の信号を読み出して、比較的小さな画素サイズ（たとえば３２０×２４０の画素サイズ）の画像が生成される。
【０１２８】
また、このような比較的小さな画素サイズの画像は、その抽出の仕方によって２つのタイプの画像に大別される。
【０１２９】
１つは、図１４に示されるように、ＣＭＯＳセンサ２０Ｂの全エリアの状態を示す画像ＧＣであり、たとえば、ＣＣＤ撮像素子２０Ｂの全エリアから数画素間隔で画素を読み出して取得される画像である。図１４の概念図においては、ＣＭＯＳセンサ２０Ｂから縦方向および横方向ともに８画素間隔で読み出して３２２×２４２の画素サイズの画像を生成し、所定の画像処理を施した後に上下左右端の各１画素幅の画素列を削除することによって、第１実施形態と同じ３２０×２４０の画素サイズの画像ＧＣを生成する様子が示されている。この画像ＧＣは、図５の全体画像ＰＡのように撮影範囲の全エリアに相当する画像である。
【０１３０】
もう１つは、ＣＭＯＳセンサ２０Ｂから抜き出した一部のエリアの状態を示す画像ＧＤであり、たとえば、互いに隣接する画素の集合である画素ブロックエリアＢＤの画素がＣＣＤ撮像素子２０Ｂから読み出されて取得される画像である。図１５の概念図においては、ＣＭＯＳセンサ２０Ｂから所定の位置（i,j）から（i+241,j+321）までの連続する３２２×２４２の画像を読み出して所定の画像処理を施した後に、上下左右端の各１画素幅の画素列を削除することによって、第１実施形態と同じ３２０×２４０の画素サイズの画像ＧＤを生成する様子が示されている。この画像ＧＤは、図５の部分画像ＰＢのように、撮影範囲の一部エリアに相当する画像である。
【０１３１】
このように、読み出し画素の位置を変更することによって、その撮像範囲が異なる（視野が異なる）画像ＧＣ、ＧＤを得ることができる。
【０１３２】
そして、ＣＭＯＳセンサ２０Ｂにおける読出し画素の指定位置を切り替えて、２つの画像ＧＣ，ＧＤを交互に読み出し交互に記録する。
【０１３３】
このような動作によっても、視野が異なる複数の画像を手軽に撮影することが可能である。
【０１３４】
なお、この第２実施形態においては、ＣＭＯＳセンサ２０Ｂから水平方向および垂直方向ともに等間隔で読み出した画素で画像ＧＣを生成する場合を例示したが、これに限定されない。たとえば、画像ＧＣを生成する際において、ＣＭＯＳセンサ２０Ｂにおいて不定間隔で配置された画素を指定して読み出してもよく、さらには、水平位置と垂直位置とを全く独立に指定して読み出してもよい。
【０１３５】
＜Ｃ．第３実施形態＞
第３実施形態は、２つの「部分画像」を記録する場合について説明する。第３実施形態は第１実施形態の変形例であり、以下では第１実施形態との相違点を中心に説明する。
【０１３６】
図１６は、ＣＣＤ撮像素子２０の全撮影範囲を示す画像ＧＥと、その一部のエリアＬＦ，ＬＧのそれぞれに対応する画像ＧＦ，ＧＧとの関係を示す図である。この第３実施形態においては、その視野が異なる２つの画像ＧＦ，ＧＧがそれぞれ別の動画像として撮影される。
【０１３７】
図１７、図１８、図１９は、各画像ＧＥ，ＧＦ，ＧＧを取得する際のＣＣＤ撮像素子２０の読み出しモードを示す概念図である。
【０１３８】
図１７は、全体画像ＧＥを取得する際の読み出しモード（第１実施形態のドラフトモードＭＡに相当する）を示している。図１８および図１９は、それぞれ、部分画像ＧＦおよび部分画像ＧＧを取得する際の読み出しモード（第１実施形態の部分読み出しモードＭＢに相当する）を示している。
【０１３９】
画像ＧＦおよび画像ＧＧは、読み出しモードは同一であるが、読み出し対象の水平ラインの位置が相違した状態で読み出される。図１８における読み出し対象の水平ラインは、図１９における読み出し対象の水平ラインよりも上側に位置している。これは、図１６に示すように、画像ＧＦの撮影範囲（図１６のエリアＬＦ）が画像ＧＧの撮影範囲（図１６のエリアＬＧ）よりも、画像ＧＥにおいて比較的上側に存在していることに対応している。このように、画像ＧＦ，ＧＧは、読出し画素の指定垂直位置を切り替えて（言い換えれば、読み出し対象の水平ラインを切り替えて）、ＣＣＤ撮像素子２０から交互に読み出される。なお、図１８の読出しモードと図１９の読出しモードとを区別するため、前者を部分読出しモードＭＢ１、後者を部分読出モードＭＢ２とも称する。
【０１４０】
図１７〜図１９の各モードで読み出された各画像は、それぞれ、各種の画像処理が施されて、所定のサイズ（たとえば３２０×２４０）の各画像ＧＥ，ＧＦ，ＧＧとして生成される。
【０１４１】
図２０は、この第３実施形態における動作を示すタイミングチャートである。図２０においては、ドラフトモードＭＡと部分読出モードＭＢ１と部分読出モードＭＢ２とが順次に（順番に）繰り返して用いられ、１／３０秒（約３３ミリ秒）間隔でフレーム画像がＣＣＤ撮像素子２０から読み出されている様子が示されている。具体的には、第１フレームの画像は、ドラフトモードＭＡで読み出されて生成された画像ＧＥであり、第２フレームの画像は、部分読出モードＭＢ１で読み出されて生成された画像ＧＦであり、第３フレームの画像は、部分読出モードＭＢ２で読み出されて生成された画像ＧＧである。その後、第４フレーム以降においても、画像ＧＥ，ＧＦ，ＧＧが順次に（この順序で）繰り返して読み出されて生成される。
【０１４２】
生成された画像のうち画像ＧＦ，ＧＧは、メモリカード９０に対して交互に記録される。連続する一群の画像ＧＦと連続する一群の画像ＧＧとは、それぞれ、別個の動画像ファイルＭＰＦ，ＭＰＧとして記録される。
【０１４３】
また、全体画像ＧＥはライブビュー画像としてＬＣＤ５に表示される。このとき、図１６に示すように、ＬＣＤ５においては、部分画像ＧＦ，ＧＧが、部分画像ＧＦ，ＧＧの両エリアを含む全体画像ＧＥとともに表示されており、かつ、部分画像ＧＦ，ＧＧに対応する各エリアＬＦ，ＬＧの境界が破線で表示されている。したがって、操作者は、部分記録する画像ＧＦ，ＧＧに対応するエリアの画像ＧＥ内での位置を容易に把握できるので、操作性が高い。
【０１４４】
なお、ここでは、画像ＧＥを記録画像として用いていないが、全体画像である画像ＧＥをさらに記録するようにしてもよい。すなわち、３つの画像ＧＥ，ＧＦ，ＧＧをこの順序で繰り返して、３つの動画像を記録するようにしてもよい。
【０１４５】
また、この部分画像撮影時のＡＥ制御、ＡＷＢ制御、およびＡＦ制御について説明する。
【０１４６】
まず、ＡＥ制御およびＡＷＢ制御については、上記の第１実施形態と同様に行えばよい。すなわち、記録時においては、画像ＧＥ，ＧＦ，ＧＧについて、いずれも画像ＧＥに基づいて評価値を求め、評価値に基づいてＡＥ制御およびＡＷＢ制御を行えばよい。また、画像ＧＦおよび画像ＧＧについては、画像ＧＥを区分した複数のブロックのうち、各画像ＧＦ，ＧＧに相当する領域に対応するブロックを用いて評価値を求めるようにすることがより好ましい。
【０１４７】
また、ＡＦ制御については、たとえば、次の２つの手法の双方または一方を用いればよい。
【０１４８】
１つは、部分画像ＧＦ，ＧＧの被写体距離のうち、より近い被写体距離に合わせて撮影動作を行う手法である。比較的近い被写体が合焦状態となるように撮影レンズ２の焦点位置を変更する。一般に、被写界深度は、焦点を合わせた位置の後ろ側に深くなっているため、部分画像ＧＦ，ＧＧの両方の被写体が合焦状態になる可能性を高めることができる。
【０１４９】
もう１つは、絞り値を比較的大きな値に設定して（絞りを比較的絞った状態にして）撮影する手法である。絞り値を比較的大きな値に設定することによれば被写界深度が比較的大きな値となるため、部分画像ＧＦ，ＧＧの両方の被写体が合焦状態となる可能性が高くなる。このような絞り制御によれば、光学系における焦点移動の頻度を低減（理想的にはゼロ）した上で、画像ＧＦ，ＧＧの各被写体をともに合焦させることができる。また、焦点移動の頻度の低減によって、撮影間隔を比較的短く設定することができる。
【０１５０】
図２１は、このような絞りを設定する、ＡＰＥＸ方式による露出制御用のプログラムラインの一例を示す図である。具体的には、図２１におけるラインＬ０は、通常のプログラムラインを示しており、ラインＬ１は絞りをなるべく絞った状態とするプログラムラインＬ１（具体的には、絞り値（Ｆナンバー）が所定値（８．０）以上となるプログラムラインＬ１）を示している。
【０１５１】
このプログラムラインＬ１は、露出値が閾値（図では１３）以上の場合には、絞りを最も絞った状態（Ｆ値で１１．０）に設定した上でシャッタスピードを設定する。また、露出値がその閾値よりも小さい場合には、少し絞り具合を緩めた絞り値（Ｆ値で８．０）に設定した上でシャッタスピードを設定する。さらに、露出値が所定の基準値（ここでは１２）より小さくなると、明るさ不足であると判定して複数動画記録モードによる動画撮影が禁止される。
【０１５２】
たとえば、露出値が１２の場合には、シャッタスピードが１／６０に設定され、絞り値（Ｆ値）が８．０に設定される。また、露出値が１４の場合には、シャッタスピードが１／１２５に設定され、絞り値（Ｆ値）が１１．０に設定される。
【０１５３】
以上のような２つの手法等を用いてＡＦ制御を行うことができる。具体的には、上記の２つの手法の双方を用いてＡＦ制御を行うことができる他、最初の手法のみを用いることも可能である。さらには、第２番目の手法を用いた上で、あらかじめ指定された一方の画像（たとえば画像ＧＦ）が常に優先的に合焦状態となるように焦点位置を決定してもよい。
【０１５４】
＜Ｄ．第４実施形態＞
第４実施形態は、部分画像の範囲を操作者が設定するのではなく、部分画像の範囲をデジタルカメラが自動的に決定する場合を例示する。第４実施形態は、第１実施形態の変形例であり、以下では第１実施形態との相違点を中心に説明する。
【０１５５】
図２２は、第４実施形態に係る複数動画記録動作を示すフローチャートであり、図２３は、撮影対象画像の一例を示す図である。ここでは、図２２、図２３などを参照しながら、移動体である飛行機を全体画像ＧＩに基づいて自動的に検出し、検出した移動体を含む領域に対応する部分画像ＧＪ（図２６）と、全撮影範囲に対応する全体画像ＧＩ（図２５）とを、それぞれ別個の動画像ファイルとして記録する場合について例示する。なお、画像ＧＪの位置決定動作を含む各種の動作は、全体制御部３０によって行われる。
【０１５６】
ステップＳＰ３１〜ステップＳＰ３６においては、動画撮影のための準備動作が行われる。ステップＳＰ３７〜ステップＳＰ４４においては、動画撮影動作が行われる。また、ステップＳＰ３１，ＳＰ３３，ＳＰ３５，ＳＰ３６は、それぞれ、図６のステップＳＰ１，ＳＰ３，ＳＰ４，ＳＰ５と同様の動作であり、ステップＳＰ３７，ＳＰ３８，ＳＰ４０，ＳＰ４２，ＳＰ４３，ＳＰ４４は、それぞれ、ステップＳＰ６，ＳＰ７，ＳＰ１１，ＳＰ８，ＳＰ９，ＳＰ１０と同様の動作である。
【０１５７】
具体的には、ステップＳＰ３１で、ＣＣＤ撮像素子２０の読出しモードがドラフトモードに設定された後、ステップＳＰ３２では、部分画像ＧＪの撮影範囲の大きさ（サイズ）が設定される。
【０１５８】
画像ＧＪの大きさは初期状態では所定の基準の大きさに設定されており、その後、ＬＣＤ５にライブビュー画像に重ねて表示された破線ＬＢ（図２３）の大きさを、操作者がコントロールボタン７を用いて変更することによって、全撮影範囲における部分画像ＧＪの大きさを指定する。デジタルカメラ１は、この操作者からの指定に基づいて、画像ＧＪの撮影範囲を決定する。
【０１５９】
その後、ＣＣＤ撮像素子２０の全撮影範囲に対応する画像ＧＩが、ＣＣＤ撮像素子２０からドラフトモードで読み出される（ステップＳＰ３３）。
【０１６０】
ステップＳＰ３４においては、移動被写体の中心位置が算出される。ここでは、図２４に示すように、第ｎフレームの画像ＧＩｎと第ｍ（＞ｎ）フレームの画像ＧＩｍとを用いて検出する。より具体的には、第ｎフレームの画像ＧＩｎと第ｍフレームの画像ＧＩｍとの差分画像ＤＧを求め、その差分画像ＤＧの重心位置ＰＧを、移動被写体の中心位置として算出する。差分画像ＤＧにおいては、停止したままのトラックに対応する部分については画像ＧＩｎ，ＧＩｍの差分値は検出されず、移動中の飛行機に対応する部分についてのみその差分値が検出されている様子が概念的に示されている。
【０１６１】
ステップＳＰ３５においては、ライブビュー画像がＬＣＤ５に表示される。ライブビュー画像においては、部分画像ＧＪの範囲が破線ＬＢ（図２７参照）で示される。なお、両画像ＧＩｎ，ＧＩｍの差異が検出されない場合（すなわち時間的変化の存在領域が存在しないとき）には、図２３に示すように、全体画像ＧＩの中央の指定サイズの領域を画像ＧＪの撮影範囲として設定すればよい。
【０１６２】
その後、ステップＳＰ３６において、シャッタボタン９が全押し状態Ｓ２にまで押下され、録画開始指令が入力されたと判定されると、録画開始指令が入力されたとみなし、次のステップＳＰ３７以降に進む。それ以外の場合は、引き続き撮影準備動作が行われる。
【０１６３】
ステップＳＰ３７〜ステップＳＰ４４においては、動画撮影動作が行われる。
【０１６４】
ステップＳＰ３８においては、画像ＧＩが取得される。次のステップＳＰ３９においては、ステップＳＰ３４と同様の動作を行い、移動体の中心位置を検出する。そして、移動体の中心位置ＰＧを画像ＧＪの中心位置として設定する。
【０１６５】
ステップＳＰ４０においては、ライブビュー画像がＬＣＤ５に表示される。このライブビュー表示においては、画像ＧＩにおける画像ＧＪの撮影範囲として指定されたエリアの境界が、破線ＬＢを用いて引き続き明示されている（図２７参照）。
【０１６６】
その後、画像ＧＪに対応する読み出し画素位置が特定され（ステップＳＰ４１）、ＣＣＤ撮像素子２０の読み出しモードが部分読み出しモードに変更され（ステップＳＰ４２）、特定された領域の画像が読み出される（ステップＳＰ４３）。具体的には、図２４に示すように、特定された画素位置に対応する複数の水平ライン（詳細には、読み出し開始ラインＬＵから読み出し終了ラインＬＤまで）が読み出され、そのうちの一部のブロック（左端の列ＬＬから右端の列ＬＲまでの画素ブロック）を切り出すことによって、ステップＳＰ３２で指定されたサイズの画像ＧＪが生成される。
【０１６７】
その後、ステップＳＰ４４においては、ＣＣＤ撮像素子２０の読出しモードが再びドラフトモードに再び設定される。
【０１６８】
以降、ステップＳＰ３７において録画終了指令が入力されたと判定されるまで動画撮影処理が繰り返し実行される。
【０１６９】
この結果、図２５に示すような全体を示す一連の画像ＧＩ（ここでは、３つの代表画像ＧＩ１，ＧＩ２，ＧＩ３を含む複数の画像ＧＩ）で構成される動画像ファイルと、図２６に示すようなその一部分を示す一連の画像ＧＪ（ここでは、３つの代表画像ＧＪ１，ＧＪ２，ＧＪ３を含む複数の画像ＧＪ）で構成される動画像ファイルとが生成される。また、図２７に示すように、ＬＣＤ５においては、画像ＧＩに破線ＬＢが付加された状態の画像ＧＫ（ここでは、３つの代表画像ＧＫ１，ＧＫ２，ＧＫ３を含む複数の画像ＧＫ）がライブビュー画像として示される。上述したように、破線ＬＢで囲まれた矩形領域は、画像ＧＪの撮影領域を示している。
【０１７０】
以上のように、部分画像ＧＪの領域を自動的に決定した上で、ＣＣＤ撮像素子２０における読み出しモードをドラフトモードと部分読み出しモードとの間で交互に切り替えて全体画像ＧＩと部分画像ＧＪとを読み出し、さらに両画像ＧＩ，ＧＪを交互に記録することが可能になる。
【０１７１】
＜Ｅ．第５実施形態＞
第５実施形態においては、ＣＣＤ撮像素子２０の駆動モード（読み出しモード）を切り替えることなく、視野の異なる複数の動画像を記録する場合について説明する。第５実施形態は、第１実施形態の変形例であり、以下では第１実施形態との相違点を中心に説明する。
【０１７２】
図２８は、第５実施形態に係る複数動画記録動作を示すフローチャートである。ここでは、ドラフトモードを用いてＣＣＤ撮像素子２０から読み出した画像に基づいて２つの動画像ＧＰ，ＧＱ（図２９参照）を記録する場合について例示する。
【０１７３】
ステップＳＰ６１〜ステップＳＰ６５においては、動画撮影のための準備動作が行われ、ステップＳＰ６７〜ステップＳＰ６９においては、動画記録動作が行われる。ステップＳＰ６１，ＳＰ６２，ＳＰ６３，ＳＰ６４，ＳＰ６７，ＳＰ６９は、それぞれ、第１実施形態におけるステップＳＰ１，ＳＰ２，ＳＰ３，ＳＰ４，ＳＰ７，ＳＰ９（図６）と同様の動作であり、ステップＳＰ６８の動作（すなわち部分画像ＧＱの取得動作）は第１実施形態と異なっている。
【０１７４】
具体的には、ステップＳＰ６１で、ＣＣＤ撮像素子２０の読出しモードがドラフトモードに設定された後、ステップＳＰ６２では、部分画像ＧＱの撮影範囲の位置などが設定される。部分画像ＧＱの撮影範囲の設定方法は、第１実施形態と同様である。
【０１７５】
その後、ＣＣＤ撮像素子２０の全撮影範囲に対応する画像ＧＰが、ＣＣＤ撮像素子２０からドラフトモードで読み出される（ステップＳＰ６３）。この画像ＧＰは、上述の画像ＧＡ３（図７参照）と同一の生成過程により得られる画像である。
【０１７６】
ステップＳＰ６４においては、ライブビュー画像がＬＣＤ５に表示される。このライブビュー画像においては、第１実施形態と同様、部分画像ＧＱの撮影領域を示す破線が全体画像ＧＰに付加された状態で表示される。
【０１７７】
その後、ステップＳＰ６５において、記録動作を行うか否かを判定する。ここでは、シャッタボタン９が全押し状態Ｓ２にまで押下され続けているときに、録画指令が入力され続けていると判定する。言い換えれば、シャッタボタン９の全押し状態Ｓ２にされた瞬間が録画開始指令が入力された瞬間であり、シャッタボタン９の全押し状態Ｓ２が解除された瞬間が録画終了指令が入力された瞬間である。録画指令が入力されているときには、次のステップＳＰ６７以降に進む。それ以外の場合は、ステップＳＰ６１に戻り、引き続き撮影準備動作が行われる。なお、これに限定されず、第１実施形態と同様の操作によって録画開始と録画終了とを指示するようにしてもよい。
【０１７８】
ステップＳＰ６７，ＳＰ６８，ＳＰ６９においては、動画撮影動作が行われる。
【０１７９】
ステップＳＰ６７においては、全体画像ＧＰが動画像として記録される。図２９に示すように、全体画像ＧＰは、ステップＳＰ６３で読み出された画像ＧＡ３と同一の画像である。
【０１８０】
次のステップＳＰ６８においては、図２９に示すように、ステップＳＰ６３で読み出された画像ＧＡ３（ＧＰ）からその一部の領域を部分画像ＧＱとして抽出する。抽出対象領域は、破線ＬＢで囲まれた領域である。
【０１８１】
このとき、部分画像ＧＱの解像度（ないし画素サイズ）は画像ＧＰよりも小さくなるが、全体画像ＧＰの画素サイズを大きな値とすること、および／または、部分画像ＧＱの全体画像ＧＰに対する相対的な大きさなどを適切に設定することによれば、実用上十分な程度の解像度とすることが可能である。また、画像ＧＱは画像ＧＰから抽出された画像であるため、画像ＧＱ，ＧＰは、厳密に同時に（同じ瞬間に）撮像された画像となっている。
【０１８２】
その後、所定の拡大処理を施すことによって、部分画像ＧＱのサイズを全体画像ＧＰのサイズと合わせる。なお、画像サイズを合わせる必要がない場合には、抽出した画像のサイズを変更しなくてもよい。
【０１８３】
ステップＳＰ６９では、この画像ＧＱを動画像として記録する。ここでは、画像ＧＰ，ＧＱを別個の動画像ファイルとして記録する。
【０１８４】
以降、ステップＳＰ６５において録画終了指令が入力されたと判定されるまで動画撮影処理が繰り返し実行される。
【０１８５】
上記のような動作によれば、ＣＣＤ撮像素子２０の全体エリアに対応する画像データをドラフトモードで一度に読出し、その全体エリアの画像ＧＰ自体とその全体エリアの一部エリアの画像ＧＱとを、それぞれ、全体エリアおよびその一部エリアに対応する画像ＧＰ，ＧＱとして抽出し、その２つの画像ＧＰ，ＧＱを交互に記録して、２つの動画データを作成することができる。複数のカメラを準備する必要がないので、視野が異なる複数の画像を手軽に撮影することが可能である。
【０１８６】
＜Ｆ．その他＞
以上、この発明の実施の形態について説明したが、この発明は上記説明した内容のものに限定されるものではない。
【０１８７】
たとえば、上記第４実施形態においては、全エリアに対応する画像ＧＩのうち時間的変化が存在する領域を、部分画像ＧＪのエリアとして決定する場合について説明したが、これに限定されない。たとえば、所定値以上の輝度を有する領域（すなわち明るい領域）を部分画像ＧＪのエリアとして決定してもよい。あるいは、特定色のエリアを部分画像ＧＪのエリアとして決定してもよい。特定色のエリアであるか否かは、そのエリアの色相を検出することなどによって判定すればよい。
【０１８８】
なお、上述した具体的実施形態には以下の構成を有する発明が含まれている。
【０１８９】
（１）撮像装置であって、
撮影光学系と当該撮影光学系からの被写体像を光電変換を用いて撮像する撮像素子とを有する単一の撮像手段と、
前記撮像素子における第１エリアに対応する画像データと前記撮像素子における第２エリアに対応する画像データとを前記撮像素子から交互に読み出す読出手段と、
前記第１エリアに対応する画像データと前記第２エリアに対応する画像データとを記録する記録手段と、
を備えることを特徴とする撮像装置。
【０１９０】
（２）撮像装置であって、
撮影光学系からの被写体像を光電変換を用いて撮像する撮像素子と、
単一の録音部と、
前記撮像素子による撮影画像に設定された複数の撮像エリアに対応する動画像データのそれぞれに対して、前記録音部によって得られる音声データを付加することによって、複数の音声データ付き動画ファイルを作成する手段と、
前記複数の音声データ付き動画ファイルを記録する記録手段と、
を備えることを特徴とする撮像装置。
【０１９１】
（３）撮像装置であって、
撮影光学系と当該撮影光学系からの被写体像を光電変換を用いて撮像する撮像素子とを有する単一の撮像手段と、
前記撮像素子における複数のエリアのそれぞれに対応する画像データを、互いに異なる複数の動画ファイルとして記録する記録手段と、
を備え、
前記記録手段は、前記複数の動画ファイルを、そのファイル名に関連性を持たせて記録することを特徴とする撮像装置。
【０１９２】
（４）前記（１）に記載の撮像装置において、
前記読出手段は、前記撮像素子の駆動方式を切り替えて、前記第１エリアに対応する画像データと前記第２エリアに対応する画像データとを交互に読み出すことを特徴とする撮像装置。
【０１９３】
（５）前記（１）に記載の撮像装置において、
前記読出手段は、前記撮像素子の読出し画素の指定位置を切り替えて、前記第１エリアに対応する画像データと前記第２エリアに対応する画像データとを交互に読み出すことを特徴とする撮像装置。
【０１９４】
（６）前記（１）に記載の撮像装置において、
前記第１エリアと前記第２エリアとの位置関係を示した状態で、前記第１エリアに対応する画像データと前記第２エリアに対応する画像データとを表示する表示手段、
をさらに備えることを特徴とする撮像装置。これによれば、位置関係を明確に把握できる。
【０１９５】
（７）前記（６）に記載の撮像装置において、
前記第２エリアは前記第１エリアに包含される一部のエリアであり、
前記表示手段は、前記第１エリア内での前記第２エリアの境界を表示した状態で、前記第１エリアに対応する画像データと前記第２エリアに対応する画像データとを表示することを特徴とする撮像装置。これによれば、部分記録する第２エリアの前記第１エリア内での位置を容易に把握できるので、操作性が高い。
【０１９６】
（８）前記（６）に記載の撮像装置において、
前記表示手段は、前記第１エリアと前記第２エリアとを包含する第３エリアに対応する画像データを表示し、且つ、当該第３エリア内での前記第１エリアの境界および前記第２エリアの境界を表示した状態で前記第１エリアに対応する画像データと前記第２エリアに対応する画像データとを表示することを特徴とする撮像装置。これによれば、部分記録する第１エリアおよび第２エリアの前記第３エリア内での位置を容易に把握できるので、操作性が高い。
【０１９７】
（９）前記（１）に記載の撮像装置において、
前記記録手段は、前記第１エリアに対応する画像データと前記第２エリアに対応する画像データとを、バッファメモリから記録媒体に交互に転送して、交互に記録することを特徴とする撮像装置。これによれば、バッファメモリの容量を抑制することができる。
【０１９８】
（１０）前記（３）に記載の撮像装置において、
前記ファイル名は、前記複数の動画ファイルの撮影対象エリアを識別する識別部分と、各動画ファイルに対してその撮影対象エリアの異同にかかわらず一意に付与される連続番号を示すファイル番号部分とを有していることを特徴とする撮像装置。これによれば、動画ファイルのファイル名は、撮影対象エリアを識別する識別部分を有しているので、操作者は各動画ファイルの撮影対象エリアを容易に認識できる。また、動画ファイルのファイル名のファイル番号部分は、各動画ファイルに対してその撮影対象エリアの異同にかかわらず一意に付与される連続番号である。したがって、その撮影対象エリアが異なるファイルに対して同一のファイル番号が付与されることが無いので、ファイル番号の異同で動画ファイルの異同を判断できる。さらに、連続番号のファイルに関連性があることを容易に認識できる。
【０１９９】
（１１）前記（１）に記載の撮像装置において、
前記第１エリアは前記第２エリアを包含し、
前記撮像装置は、
前記第１エリアおよび前記第２エリアのそれぞれに対応する各画像データについての露出制御における制御パラメータを、前記第１エリアに対応する画像データに基づいて決定する露出制御手段、
をさらに備えることを特徴とする撮像装置。これによれば、２つの画像データ（第１エリアおよび第２エリアのそれぞれに対応する画像データ）についての露出制御における制御パラメータを、一方の第１エリアの画像データに基づいて決定するので、効率的である。
【０２００】
（１２）前記（１）に記載の撮像装置において、
前記第１エリアは前記第２エリアを包含し、
前記撮像装置は、
前記第１エリアおよび前記第２エリアのそれぞれに対応する各画像データについてのホワイトバランス制御における制御パラメータを、前記第１エリアに対応する画像データに基づいて決定するホワイトバランス制御手段、
をさらに備えることを特徴とする撮像装置。これによれば、２つの画像データ（第１エリアおよび第２エリアのそれぞれに対応する画像データ）についてのホワイトバランス制御における制御パラメータを、一方の第１エリアの画像データに基づいて決定するので、効率的である。
【０２０１】
（１３）前記（１）に記載の撮像装置において、
前記第１エリアは前記第２エリアを包含し、
前記撮像装置は、
前記第１エリアおよび前記第２エリアのそれぞれに対応する各画像データについての合焦制御における制御パラメータを、前記第２エリアの画像データに基づいて定める合焦制御手段、
をさらに備えることを特徴とする撮像装置。これによれば、２つの画像データ（第１エリアおよび第２エリアのそれぞれに対応する画像データ）についての合焦制御における制御パラメータを、一方の第２エリアの画像データに基づいて決定するので、効率的である。
【０２０２】
（１４）前記（１）に記載の撮像装置において、
前記第１エリアおよび前記第２エリアのそれぞれに対応する各被写体がともに合焦するように前記撮影光学系の絞りを制御する絞り制御手段、
をさらに備えることを特徴とする撮像装置。これによれば、第１エリアおよび第２エリアのそれぞれに対応する各被写体がともに合焦するように撮影光学系の絞りが制御されるので、光学系における焦点移動を減少させることができる。
【０２０３】
（１５）請求項１に記載の撮像装置において、
前記制御手段は、前記第１エリアにおいて時間的変化が検出された領域を前記第２エリアとして決定することを特徴とする撮像装置。
【０２０４】
（１６）請求項１に記載の撮像装置において、
前記制御手段は、前記第１エリアにおいて時間的変化が検出されないときには、前記第１エリアの中央の所定領域を前記第２エリアとして決定することを特徴とする撮像装置。これによれば、時間的変化が検出されないときでも第２エリアを決定することができる。
【図面の簡単な説明】
【０２０５】
【図１】デジタルカメラの外観構成を示す正面図である。
【図２】デジタルカメラの外観構成を示す上面図である。
【図３】デジタルカメラの外観構成を示す背面図である。
【図４】デジタルカメラの内部機能を示すブロック図である。
【図５】ライブビュー画像および記録画像の関係を示す概念図である。
【図６】第１実施形態におけるデジタルカメラの動作を示すフローチャートである。
【図７】ドラフトモードで読み出される画像を示す図である。
【図８】部分読出モードで読み出される画像を示す図である。
【図９】第１実施形態における動作を示すタイミングチャートである。
【図１０】各動画像のフレーム構成を示す図である。
【図１１】ファイル名称の付与ルールについて説明する図である。
【図１２】測光ブロックを示す図である。
【図１３】部分画像ＰＢについての測光ブロックを示す図である。
【図１４】ＣＭＯＳセンサにおける読出し画素の指定を説明する図である。
【図１５】ＣＭＯＳセンサにおける読出し画素の指定を説明する図である。
【図１６】全撮影範囲を示す画像とその一部の記録画像との関係を示す図である。
【図１７】ドラフトモードでの読み出し位置を示す図である。
【図１８】部分読出モードでの読み出し位置を示す図である。
【図１９】部分読出モードでの別の読出し位置を示す図である。
【図２０】第３実施形態における動作を示すタイミングチャートである。
【図２１】露出制御用のプログラムラインの一例を示す図である。
【図２２】第４実施形態における動作を示すフローチャートである。
【図２３】撮影対象画像の一例を示す図である。
【図２４】移動被写体の中心位置の算出原理を説明する図である。
【図２５】一方の動画像を示す図である。
【図２６】他方の動画像を示す図である。
【図２７】ライブビュー画像を示す図である。
【図２８】第５実施形態における動作を示すフローチャートである。
【図２９】第５実施形態における２つの記録画像の生成過程を示す図である。
【符号の説明】
【０２０６】
１  デジタルカメラ
２  撮影レンズ
４  ＥＶＦ
５  ＬＣＤ
９  シャッタボタン
１４  マイク
１５  スピーカ
２０  ＣＣＤセンサ（撮像素子）
２０Ｂ  ＣＭＯＳセンサ（撮像素子）
９０  メモリカード
ＭＡ  ドラフトモード
ＭＢ，ＭＢ１，ＭＢ２  部分読出モード
【図１】
2006042399.tif 000003
【図２】
2006042399.tif 000004
【図３】
2006042399.tif 000005
【図４】
2006042399.tif 000006
【図５】
2006042399.tif 000007
【図６】
2006042399.tif 000008
【図７】
2006042399.tif 000009
【図８】
2006042399.tif 000010
【図９】
2006042399.tif 000011
【図１０】
2006042399.tif 000012
【図１１】
2006042399.tif 000013
【図１２】
2006042399.tif 000014
【図１３】
2006042399.tif 000015
【図１４】
2006042399.tif 000016
【図１５】
2006042399.tif 000017
【図１６】
2006042399.tif 000018
【図１７】
2006042399.tif 000019
【図１８】
2006042399.tif 000020
【図１９】
2006042399.tif 000021
【図２０】
2006042399.tif 000022
【図２１】
2006042399.tif 000023
【図２２】
2006042399.tif 000024
【図２３】
2006042399.tif 000025
【図２４】
2006042399.tif 000026
【図２５】
2006042399.tif 000027
【図２６】
2006042399.tif 000028
【図２７】
2006042399.tif 000029
【図２８】
2006042399.tif 000030
【図２９】
2006042399.tif 000031